(57)【要約】【課題】壁面等に穴を空けずにメモなどを保持する手段を備える壁面装飾具を提供する。【解決手段】シート状本体部１の裏面１ｂに比較的粘着力の強い第１粘着部２と、再剥離性を有する第２粘着部３とを設ける。第１粘着部２の強い粘着力で、第２粘着部３に紙片などの薄片体を貼着させた状態で壁面に本体部１を保持できる。再剥離性を有する第２粘着部３は、メモ、名刺、写真等の紙片やプラスチックカードなどの薄片体を着脱可能に保持する。第２粘着部３は、薄片体に損傷を与えずに該薄片体を剥離することが可能である。表面に猫の前足などの意匠Ｐが付されているので、装飾性に優れる。【選択図】  図１
2018134785.tif 000002
【特許請求の範囲】
【請求項１】
表面および裏面を有し、表面に意匠が設けられたシート状の本体部と、
前記本体部の裏面に設けられる第１粘着部と、
前記本体部の裏面に、第１粘着部に隣接または近接して設けられる第２粘着部とを備え、
第２粘着部は、薄片体を貼着させることができ、かつ該薄片体に損傷を与えずに該薄片体を剥離することが可能な再剥離性を有し、
第１粘着部は、第２粘着部に前記薄片体を貼着させた状態で、前記本体部が取り付けられる壁面に該本体部を貼着させた状態を保持できる粘着性を有することを特徴とする、壁面装飾具。
【請求項２】
第１粘着部が設けられている領域の面積は、第２粘着部が設けられている領域の面積よりも広いことを特徴とする請求項１に記載の壁面装飾具。
【請求項３】
第１粘着部が再剥離性を備える、請求項１または２に記載の壁面装飾具。
【請求項４】
請求項１乃至３のいずれか１項に記載の壁面装飾具を製造する方法であって、
表面および裏面を有し、表面に意匠が設けられたシート状の本体部における裏面の予め定めた領域に再剥離性を有する粘着剤を塗布して第１粘着部を形成し、
第１粘着部に隣接する予め定めた領域に、前記粘着剤を、第１粘着部よりも少ない塗布量で塗布して第２粘着部を形成することを特徴とする、壁面装飾具の製造方法。
【発明の詳細な説明】
【技術分野】
【０００１】
本発明は、壁面に取り付けて装飾性を発揮するとともに、メモや名刺、写真等の薄片体を裏面に保持することが可能な壁面装飾具に関する。
【背景技術】
【０００２】
室内壁面を装飾するものとして、裏面に粘着層や接着層を形成したシール、ステッカーなどが公知である。他方、壁面にメモを取り付け可能なものとして、表面にメモ書き可能なメモ部を有し、裏面に粘着剤層を設けた紙片を複数枚重ね合わせて積層体とした付箋が従来知られている。また特許文献１には、表面にメモ部を有する複数枚の付箋シートを積層したものであって、その一端部領域の裏面に感圧性接着層が設けられるとともに、メモ部裏面に再剥離性粘着剤が設けられ、さらに感圧性接着層と再剥離性粘着剤との境目に、使用時に切り離すためのミシン目を設けた付箋紙クリップが記載されている。
【先行技術文献】
【特許文献】
【０００３】
【特許文献１】特開２０１６−５２７７１号公報
【発明の概要】
【発明が解決しようとする課題】
【０００４】
壁面に貼着される従来のシールやステッカーなどを、メモ書きに利用した場合、通常、その表面に直接メモ書きされるため、メモの内容が不要になったときには、シール、ステッカー自体を取り外して、新たにシール、ステッカー等を貼りなおす必要がある。他方、特許文献１の付箋紙クリップは、特に意匠性、装飾性は考慮されていない。
さらに、メモ以外の、名刺や写真等を忘れないように、あるいはよく見えるように壁等に貼り付ける場合には、ピンや画鋲などがよく用いられ、貼り付ける壁面等が磁性を有する場所であれば、マグネットが使用される。しかし、ピンや画鋲を使用すると、これら名刺、写真、および壁面等に穴をあけることになり、好ましくない場合がある。マグネットは、磁性を有しない場所では使用することができない。
【０００５】
本発明は、装飾機能を有するとともに、紙片などの保持対象となる薄片体や壁面等に穴をあけることなく薄片体を保持することが可能な壁面装飾具の提供を目的とする。
【課題を解決するための手段】
【０００６】
請求項１に係る本発明は、表面および裏面を有し、表面に意匠が設けられたシート状の本体部と、前記本体部の裏面に設けられる第１粘着部と、前記本体部の裏面に、第１粘着部に隣接または近接して設けられる第２粘着部とを備え、第２粘着部は、薄片体を貼着させることができ、かつ該薄片体に損傷を与えずに該薄片体を剥離することが可能な再剥離性を有し、第１粘着部は、第２粘着部に前記薄片体を貼着させた状態で、前記本体部が取り付けられる壁面に該本体部を貼着させた状態を保持できる粘着性を有することを特徴とする、壁面装飾具である。
【０００７】
請求項２に係る本発明は、第１粘着部が設けられている領域の面積は、第２粘着部が設けられている領域の面積よりも広いことを特徴とする請求項１に記載の壁面装飾具である。
【０００８】
請求項３に係る本発明は、第１粘着部が再剥離性を備える、請求項１または２に記載の壁面装飾具である。
【０００９】
請求項４に係る本発明は、請求項１乃至３のいずれか１項に記載の壁面装飾具を製造する方法であって、表面および裏面を有し、表面に意匠が設けられたシート状の本体部における裏面の予め定めた領域に再剥離性を有する粘着剤を塗布して第１粘着部を形成し、第１粘着部に隣接する予め定めた領域に、前記粘着剤を、第１粘着部よりも少ない塗布量で塗布して第２粘着部を形成することを特徴とする、壁面装飾具の製造方法である。
【発明の効果】
【００１０】
請求項１に係る本発明の壁面装飾具によれば、本体部表面に意匠を有するので、裏面の少なくとも第１粘着部を壁面に貼り付けることにより、使用者の嗜好や使用環境に適した装飾性を発揮する。
【００１１】
また、この壁面装飾具は、本体部の裏面に、第１粘着部と、第１粘着部に隣接または近接して設けられる第２粘着部とを備え、第２粘着部は、薄片体を貼着させることができ、かつ該薄片体に損傷を与えずに該薄片体を剥離することが可能な再剥離性を有する。第１粘着部は、第２粘着部に薄片体を貼着させた状態で、前記本体部が取り付けられる壁面に該本体部を貼着させた状態を保持できる粘着性を有する。したがって、比較的強い粘着力を有する第１粘着部を壁面に貼り付け、再剥離性を有する第２粘着部にメモ、名刺、写真等の薄片体を貼り付けることにより、これら薄片体を壁面の所望位置に保持することができる。また、保持が不要となった場合には、糊汚れすることなく、貼り付けた薄片体を剥がすことができる。
【００１２】
第２粘着部は、薄片体を貼着させることができ、かつ該薄片体に損傷を与えずに該薄片体を剥離することが可能な再剥離性を有しているので、薄片体を傷つけるおそれがなく着脱できる。
ここで、第２粘着部が有する「再剥離性」とは、第２粘着部に貼着した薄片体を引き剥がしたときに、薄片体側に糊や粘着剤が残存しない性質をいう。そのため、糊や粘着剤には、糸引きを起こしにくい、比較的硬度の高い糊・粘着剤を使用することが好ましい。一般に、柔らかい糊は、物品の表面に残りやすいからである。
【００１３】
本発明の壁面装飾具は、通常は装飾手段として機能し、必要に応じ、紙片等の薄片体を裏面に貼り付けて壁面に取り付けることが可能な保持手段として機能する。
【００１４】
請求項２に係る本発明の壁面装飾具によれば、第１粘着部が設けられている領域の面積が、第２粘着部が設けられている領域の面積よりも広く設定されるので、第１粘着部が再剥離性を有する第２粘着部よりも広い面積を占めることにより、薄片体を保持した状態で、本体部を壁面に確実に保持できる効果を奏する。
【００１５】
請求項３に係る本発明の壁面装飾具によれば、第１粘着部も再剥離性を備えるので、壁面装飾具自体を壁面から引き剥がしたときに、壁面側に粘着剤が残らず、壁面を汚損するおそれがない。
【００１６】
請求項４に係る本発明の壁面装飾具の製造方法によれば、同じ粘着剤を用いて、壁面装飾具を壁面に確実に保持できる粘着力を発揮する第１粘着部と、損傷を与えずに薄片体を着脱可能に保持できる再剥離性を発揮する第２粘着部とを形成するから、製造ラインの簡素化が可能である。第１粘着部も再剥離性を備えるので、壁面装飾具自体を壁面から引き剥がしたときに、壁面側に粘着剤が残らず、壁面を汚損するおそれがない。
【図面の簡単な説明】
【００１７】
【図１】本発明の実施形態１に係る壁面装飾具を示すものであって、（Ａ）は正面図、（Ｂ）は背面図である。
【図２】本発明の実施形態１に係る壁面装飾具の使用方法の一例を示すものであって、（Ａ）は、壁面に貼付けた状態を示す側面断面図、（Ｂ）は、第２粘着部を壁面から引き離した状態を示す側面断面図、（Ｃ）は薄片体を保持した使用状態を示す側面断面図である。
【図３】本発明の実施形態１に係る壁面装飾具の使用状態を示す正面図である。
【図４】本発明の実施形態２に係る壁面装飾具を示すものであって、（Ａ）は正面図、（Ｂ）は使用状態を示す正面図である。
【図５】本発明に係る壁面装飾具の本体部の形状に関する各種実施形態を示す正面図であって、（Ａ）は円形、（Ｂ）は正方形、（Ｃ）は楕円形、（Ｄ）は長方形、（Ｅ）は三角形、（Ｆ）は亜鈴型を示すものである。
【発明を実施するための形態】
【００１８】
［実施形態１］
図１は、本発明の実施形態１に係る壁面装飾具Ｈの正面図である。
図１に示す壁面装飾具Ｈは、表面１ａおよび裏面１ｂを有し、表面１ａに意匠Ｐが設けられたシート状の本体部１と、本体部裏面１ｂの所定領域に粘着剤が塗布されて形成された第１粘着部２と、第１粘着部２に隣接または近接して粘着剤が塗布されて形成された第２粘着部３とを備える。第２粘着部３は、紙片などの薄片体を貼着させることができ、かつ該薄片体に損傷を与えずに該薄片体を剥離することが可能な再剥離性を有する。第１粘着部２は、比較的強い粘着力であって、第２粘着部３に薄片体を貼着させた状態で、本体部１を壁面に保持し得る粘着力を有する。
【００１９】
シート状の本体部１は、形状は特に限定されない。材質としては、紙、プラスチック、金属、セラミック、布、およびこれらの複合体等の、付箋、シール、ステッカー、テープ、ラベル、又はタグ等に通常用いられ、当業者に自明のものであれば、いかなるものを用いてもよい。紙系材質としては、例えば、上質紙、アート紙、マットコート紙、キャストコート紙、ホイル紙、感熱紙、和紙、蛍光紙、耐水紙、グラシン紙、クラフト紙等が挙げられるが、これらに限定されない。プラスチック系材質としては、例えば、ＰＥＴ等のポリエステルフィルム、ポリプロピレン（ＰＰ）フィルム、塩化ビニルフィルム、合成紙（ユポ紙）、アセテートサテン、オレフィン系フィルム等が挙げられるが、これらに限定されない。
【００２０】
本体部表面１ａの意匠Ｐは、例えば印刷層によって設けられる。印刷層は、本体部表面１ａ上に、インクにより印刷されて形成された層を指す。インクは、印刷用として通常用いられる当業者に自明のものであれば、いかなるものも使用可能であり、例えば、顔料インク、染料インク、印刷インク等が挙げられるが、これらに限定されない。インクには、バインダー、ポリマー、及び色素が含まれるが、これら以外の成分が含まれていてもよい。バインダー、ポリマー、及び色素は、印刷用インクに通常用いられ、当業者に自明のものであれば、いかなるものも使用可能である。バインダーとしては、例えば、炭酸ソーダ・アンチモン塩類等が挙げられるが、これらに限定されない。色素としては、例えば、無機顔料、有機顔料、レーキ顔料、蛍光顔料等の顔料、天然染料、合成染料、蛍光染料等の染料が挙げられるが、これらに限定されない。
【００２１】
意匠Ｐは、絵、写真、文字、イラスト、幾何図形、模様などで表示され、使用者の嗜好や使用環境に合わせたものを適宜選択すればよい。壁面装飾具Ｈを壁面に貼り付けることにより、意匠Ｐの装飾性により、使用者に快適さを与えることができる。
【００２２】
また壁面装飾具Ｈの意匠Ｐを、図１に例示するような猫などの前足を表したものとすれば、特に動物愛好家の使用者に、快適さや癒し効果を与えることができる。また、猫の前足の意匠Ｐは特徴的であるので、例えばこれに重要な事項を記載したメモを貼付した場合、このメモの位置を使用者が容易に知ることができるという効果が得られる。このような効果を与える動物の種類としては、猫のほか、犬、馬、牛、虎、ライオン、豚、ヒツジ、猿、象、パンダ、鹿、実際には鳥、人、などが挙げられるが、これらに限定されない。
【００２３】
第１粘着部２および第２粘着部３は、本体部裏面１ｂに粘着剤を塗布することにより、または粘着シートを貼着することにより形成される。使用可能な粘着剤としては、水系、溶剤系、エマルション系等いずれでもよく、アクリル系、ゴム系等  用途に応じていずれの材料も選択できるが、これらに限定されない。
【００２４】
第２粘着部３の粘着力は、紙片などの薄片体を貼着させることができ、かつ該薄片体に損傷を与えずに該薄片体を剥離することが可能な粘着力であればよい。第１粘着部２の粘着力は、比較的強く、第２粘着部３に薄片体を貼着させた状態で、すなわち薄片体の重量も含めて、本体部１が取り付けられる壁面に該本体部１を貼着させた状態を保持できる粘着力を有すればよい。
【００２５】
なお、第１粘着部２および第２粘着部３を形成する手段としては、例えば、再剥離性を有する粘着剤を、本体部１の裏面１ｂにおける第１粘着部２を形成する領域に塗布し、同じ粘着剤を、粘着力を弱めるために塗布量を少なくして、本体部１の裏面１ｂにおける第２粘着部３を形成する領域に塗布することが考えられる。粘着力を弱める手法には、網点塗工やライン塗工など、塗布剤を分散させて塗布することにより、塗布面積を減少させる方法が考えられる。この手法により、同じ粘着剤を用いて第１粘着部２および第２粘着部３を形成できるから、製造ラインの簡素化が可能である。また、第１粘着部２にも再剥離性を与えることができるから、壁面装飾具Ｈ自体を壁面Ｗから引き剥がしたときに、壁面Ｗ側に粘着剤が残らず、壁面Ｗを汚損するおそれがない。
【００２６】
第１粘着部２が形成される領域の面積Ｓ１は、第２粘着部３が形成される領域の面積Ｓ２よりも広く設定することが望ましい。これにより、本体部１を壁面に貼り付けたときの壁面に対する保持力を確保して、使用中に壁面装飾具Ｈが脱落するのを防止するためである。
【００２７】
さらに第１粘着部２と第２粘着部３とは、本体部１の裏面１ｂにおいて互いに隣接するように形成してもよく、あるいは、両者の間に若干の離隔を有するように近接させて形成してもよい。
【００２８】
なお、第１粘着部２および第２粘着部３の表面を剥離紙で被覆しておき、使用時に剥離紙を除去するように構成することも可能である。
【００２９】
次に、本例の壁面装飾具Ｈの使用方法を、図２を用いて説明する。はじめに、図２（Ａ）に示すように、壁面装飾具Ｈの本体部裏面１ｂに形成した少なくとも第１粘着部２を壁面Ｗの表面に貼り付けることにより、この壁面装飾具Ｈを壁面Ｗ上に保持させる。このとき第２粘着部３は、壁面Ｗに貼着されてもよく、剥離紙により表面が覆われた状態でもよい。
【００３０】
次に、紙片などの薄片体１０を取り付けたい場合は、図２（Ｂ）に示すように、本体部１の第２粘着部３の形成部分を壁面Ｗから引き離して、第２粘着部３と壁面Ｗとの間に隙間ｄを形成する。続いて、第２粘着部３の表面に剥離紙を有する場合はこれを剥離したのち、上記隙間ｄに所望の薄片体１０を挿入し、該薄片体１０の上縁部を第２粘着部３の表面に圧接する。これにより薄片体１０は、第２粘着部３の粘着力によって、本体部１に貼り付けられる。
【００３１】
その後、薄片体１０を自由状態にすると、図２（Ｃ）および図３に示すように、薄片体１０は、自重により本体部１の下端から垂下した状態で、壁面装飾具Ｈに保持されることになる。ここで第１粘着部２は、その粘着力が、比較的強く設定されるので、薄片体１０の重量も含めた本体部１の全体を壁面Ｗに対し保持させた状態を、確実に維持することができる。なお第１粘着部２の粘着力は、所要の力を加えることによって、本体部１を壁面Ｗから、壁面Ｗを傷つけずに剥離可能な程度の大きさに設定することができる。また、再剥離性を有する粘着剤を用いてもよい。これにより不要となった時には、壁面装飾具Ｈを壁面Ｗから取り外すことが容易になる。
【００３２】
第２粘着部３は、再剥離性を有するので、保持した薄片体１０を傷付けることなく、本体部１から容易に剥離することが可能である。第２粘着部３の粘着剤は、第２粘着部３に貼着した薄片体１０を引き剥がしたときに、薄片体１０側に糊や粘着剤が残存しない性質を備えるもの、具体的には、糸引きを起こしにくい、比較的硬度の高い糊・粘着剤を使用することが好ましい。これにより、薄片体１０の貼着・剥離を反復して行うことが可能であり、かつ、薄片体１０を損傷したり汚損したりするおそれがなくなる。
【００３３】
本例において、壁面装飾具Ｈの保持対象である薄片体１０は、シート状、フィルム状、薄板状、カード状の物品である。これには、例えば名刺、写真、ポストカード、表彰状、メモ、各種文書、チラシなどの紙片や、これら紙片と同様の形態の、金属片、プラスチック片、セラミック片などが含まれ、材質は特に限定されない。
【００３４】
本例において壁面Ｗとは、壁面装飾具Ｈの少なくとも第１粘着部２を貼り付けることが可能な表面であり、例えば住居の室内壁面や建物躯体壁面のほか、ドアの表面、家具や什器の表面、電気製品の表面、掲示板表面なども含むが、これらに限定されない。
【００３５】
［実施形態２］
図４に、本発明の実施形態２に係る壁面装飾具Ｈを示す。本例の壁面装飾具Ｈは、図４（Ａ）に示すように、本体部１における第２粘着部３の端縁部に沿って、スリット４を形成したものである。このスリット４は、図示の例では、猫の前足の先端部分を囲むように設けられている。
【００３６】
本例では、図４（Ｂ）に示すように、薄片体１０を、スリット４内へ挿入させた状態で、第２粘着部３に貼り付けている。このため薄片体１０が、第２粘着部３と、スリット４に沿った本体部１の外周縁部１ｃとの間に挟持された状態となるので、薄片体１０をより安定して保持することができる。また、猫の前足が直に薄片体１０を押さえているような意匠を呈するため、装飾性に優れる。
【００３７】
［その他の実施形態］
本発明に係る壁面装飾具Ｈの形状は、適宜変更することが可能である。本体部１の形状の例として、図５に、（Ａ）円形、（Ｂ）正方形、（Ｃ）楕円形、（Ｄ）長方形、（Ｅ）三角形、（Ｆ）亜鈴型を示したが、これらに限定されない。また、上記形状の組合せも可能である。
【００３８】
図面には、第１粘着部２を上側、第２粘着部３を下側となる姿勢に壁面装飾具Ｈを配置して、薄片体１０を垂下状態に保持する実施形態を例示した。しかしながら、薄片体１０が比較的軽量で、本体部１が適度の剛性を有する場合、第１粘着部２が下側、第２粘着部３が上側となる姿勢に配置して、薄片体１０を下方から支持するような状態の使用態様も可能である。
【００３９】
また、保持対象となる薄片体１０が比較的寸法が大きく、または重量が重い場合は、複数の壁面装飾具Ｈを用いて、この薄片体１０を保持することも可能である。
【産業上の利用可能性】
【００４０】
本発明は、壁面装飾具でありながら、メモ、名刺、写真、ポストカード等の薄片体を、壁面や掲示板などに着脱可能に保持することができる簡便な保持手段を提供できる。また装飾性を有することにより、居住室内や職場などにおいて、従来の付箋と比較して、はるかに優れた使用感を提供することができる。
【符号の説明】
【００４１】
Ｈ    壁面装飾具
１    本体部        
１ａ  表面
１ｂ  裏面
１ｃ  外周縁部
２    第１粘着部
３    第２粘着部
４    スリット
１０  薄片体
Ｐ    意匠
【図１】
2018134785.tif 000003
【図２】
2018134785.tif 000004
【図３】
2018134785.tif 000005
【図４】
2018134785.tif 000006
【図５】
2018134785.tif 000007